(57)【要約】【課題】安価に製造でき、キーシートの誤装着を効果的に防止できる情報処理端末及びキーシート確認方法を提供する。【解決手段】情報処理端末は、情報を表示する表示部と、キーシートが装着され、情報を入力する入力部と、キーシートに無効化手段とともに設置されるタブに設けられる無線タグと通信する無線タグリーダライタと、キーシートの交換を検知した場合、無線タグリーダライタを介して無線タグと通信し、キーシートに関するデータを読み込んだ後に無線タグを無効化する旨の指示を表示部に表示する制御部と、を備える。【選択図】図１２
2013246716.tif 000002
【特許請求の範囲】
【請求項１】
情報を表示する表示部と、
キーシートが装着され、情報を入力する入力部と、
前記キーシートに無効化手段とともに設置されるタブに設けられる無線タグと通信する無線タグリーダライタと、
前記キーシートの交換を検知した場合、前記無線タグリーダライタを介して前記無線タグと通信し、前記キーシートに関するデータを読み込んだ後に前記無線タグを無効化する旨の指示を前記表示部に表示する制御部と、
を備える情報処理端末。
【請求項２】
前記タブは、
前記キーシートに切除可能に設けられる請求項１記載の情報処理端末。
【請求項３】
前記無効化手段は、
前記キーシートの前記無線タグが設けられる面の前記無線タグと前記キーシートとの間に、前記タブが折り曲げられたときに前記無線タグを複数の面から被覆するように遮蔽層を有する請求項１記載の情報処理端末。
【請求項４】
前記キーシートに関するデータは、
キーの形状を任意に変更する情報を含む請求項１記載の情報処理端末。
【請求項５】
キーシートの交換を検知した場合、無線タグリーダライタを介して前記キーシートに無効化手段とともに設置されるタブに設けられる前記無線タグと通信し、
前記キーシートに関するデータを読み込み、
前記無線タグを無効化する旨の指示を前記表示部に表示する、
キーシート変更方法。
【発明の詳細な説明】
【技術分野】
【０００１】
本発明の実施形態は、情報処理端末及びキーシート変更方法に関する。
【背景技術】
【０００２】
例えば商品の販売店にて顧客の注文をコンピューターによって処理する場合、注文の内容を入力するために情報処理端末が使用される。
【０００３】
この情報処理端末は、注文を受けた商品名が記載されたキーが押下されると、そのキーに対応づけられた信号の入力が行われ、注文の内容の入力がなされる。
【０００４】
ここで、情報処理端末のキーの数には限りがある一方、商品は多岐にわたる。例えば、飲食店において昼間のメニューと夜のメニューとが異なる場合、全てのメニューを情報処理端末に登録しておくのは不可能である。
【０００５】
そこで、商品の名称などを記載したキーシートを入れ替えるとともに、入れ替えたキーシートに対応するキーの登録内容を情報処理端末に登録することにより、注文の入力を可能にすることが行われている。例えば、キーシート毎にＩＤを割り当て、このＩＤを情報処理端末に入力する。
【０００６】
しかし、キーシートを入れ替えた際に、誤ってそのキーシートとは異なるキーシートのＩＤが入力されることがある。
【０００７】
この状態を放置すると、誤った内容にて注文が処理され、損害が発生することがある。
【０００８】
この点に関し、キーシートに無線タグなどのＩＤ部を設け、情報処理端末にこのＩＤを読み取るＩＤ読取部を設け、キーシートを交換すると情報処理端末はキーシートのＩＤをＩＤ読取部によって読み取って、このＩＤに対応する予め格納されているキー配列を読み出す技術が提案されている。
【０００９】
しかし、ＩＤを読み取った後の無線タグは不要であるにも関わらずキーシートに装着されたままになっていると、ＩＤ読取部である無線タグリーダライタは皿やテーブルなどに装着される無線タグを読む際にＩＤ部である無線タグを誤読することがある。
【００１０】
また、ＩＤ部をバーコードにより形成する場合、ＩＤ読取部として設けられるバーコードリーダは他の業務に流用が困難な位置に設置されるため、情報処理端末の製造コストが割高なものとなる。
【先行技術文献】
【特許文献】
【００１１】
【特許文献１】特開２００２−１４９３２２号公報
【発明の概要】
【発明が解決しようとする課題】
【００１２】
従って、安価に製造でき、キーシートの誤装着を効果的に防止できる情報処理端末及びキーシート変更方法が求められている。
【課題を解決するための手段】
【００１３】
上記の課題を解決するために、本発明の一実施形態は、情報を表示する表示部と、キーシートが装着され、情報を入力する入力部と、キーシートに無効化手段とともに設置されるタブに設けられる無線タグと通信する無線タグリーダライタと、キーシートの交換を検知した場合、無線タグリーダライタを介して無線タグと通信し、キーシートに関するデータを読み込んだ後に無線タグを無効化する旨の指示を表示部に表示する制御部と、を備える情報処理端末を提供する。
【図面の簡単な説明】
【００１４】
【図１】情報処理端末を開いた場合の外観斜視図である。
【図２】第２入力部の図１ＡＡ線断面図である。
【図３】第２入力部の図１ＡＡ線断面図の他の例を示す図である。
【図４】情報処理端末の構成を示すブロック図である。
【図５】キーシートテーブルのデータ構造を示す図である。
【図６】第１入力部用の第１キーシートの第１の例を示す図である。
【図７】第１入力部用の第１キーシートの第２の例を示す図である。
【図８】第２入力部用の第２キーシートの第１の例を示す図である。
【図９】第２入力部用の第２キーシートの第２の例を示す図である。
【図１０】折り曲げ可能なタブを備えるキーシートの側面断面図である。
【図１１】タブが折り曲げられたキーシートの様子を示す図である。
【図１２】情報処理端末の操作を示すフローチャートである。
【発明を実施するための形態】
【００１５】
以下、情報処理端末及びキーシート変更方法の一実施形態について、図面を用いて詳細に説明する。
【００１６】
ここで、情報処理端末には、いわゆるハンディーターミナルのほか、ＰＯＳ端末、街頭設置型情報処理端末（ＫＩＯＳＫ端末）、等が含まれる。
【００１７】
本実施形態の情報処理端末は、情報を表示する表示部と、キーシートが装着され、情報を入力する入力部と、キーシートに無効化手段とともに設置されるタブに設けられる無線タグと通信する無線タグリーダライタと、キーシートの交換を検知した場合、無線タグリーダライタを介して無線タグと通信し、キーシートに関するデータを読み込んだ後に無線タグを無効化する旨の指示を表示部に表示する制御部と、を備える。
【００１８】
なお、本実施の形態では、情報処理端末として飲食店用のハンディーターミナルに適用した例を用いて説明する。
【００１９】
図１は、情報処理端末１を開いた場合の外観斜視図である。図１に示すように、情報処理端末１は、本体部１０と、蓋部２０と、を備える。
【００２０】
情報処理端末１は、本体部１０の表面に情報を表示する表示部１１と、テンキーとして使用される第１入力部１２と、キーシートを第１入力部１２に装着するための第１キーシート挿入部１３と、を備える。
【００２１】
表示部１１は、例えば、液晶表示装置（ＬＣＤ）を用いることができる。
【００２２】
第１入力部１２は、タッチパネルを用いることができる。
【００２３】
第１キーシート挿入部１３には、矢印Ｘ１の方向から第１キーシートが挿入される。
【００２４】
情報処理端末１は、蓋部２０の表面にメニューキーとして使用される第２入力部２１と、キーシートを第２入力部２１に装着するための第２キーシート挿入部２２と、を備える。
【００２５】
第２入力部２１は、タッチパネルを用いることができる。
【００２６】
第２キーシート挿入部２２には、矢印Ｘ２の方向から第２キーシートが挿入される。
【００２７】
図２は、第２入力部２１の図１ＡＡ線断面図である。図２に示すように、第２入力部２１は、透明なフィルム３２と、フィルム３２の下層に配置されるキーシート３３と、キーシート３３の下層に配置されるタッチパネル３４と、タッチパネル３４を支持するホルダー３５と、外側ケース３１と、を備える。
【００２８】
この場合、第１入力部１２の断面は、第２入力部２１の断面と同様である。
【００２９】
図３は、第２入力部２１の図１ＡＡ線断面図の他の例を示す図である。図３に示すように、第２入力部２１は、透明なタッチパネル３４と、タッチパネル３４を支持する透明なホルダー３５と、ホルダー３５の下層に配置される透明なフィルム３２と、フィルム３２の下層に配置されるキーシート３３と、外側ケース３１と、を備える。
【００３０】
この場合、第１入力部１２の断面は、第２入力部２１の断面と同様である。
【００３１】
図４は、情報処理端末１の構成を示すブロック図である。図４に示すように、情報処理端末１は、ＣＰＵなどの演算装置を含む制御部４１と、コントローラと通信をする通信部４２と、表示部１１と、第１入力部１２と、第２入力部２１と、ＲＯＭ、ＲＡＭなどのメモリを含み、キーシートに独自に割り当てられるＩＤ及びＩＤに対応するキー配列を格納するキーシートテーブル４３Ａを格納する記憶部４３と、本体部１０に振動を生成する振動部４４と、発光をする発光部４５と、音声を発する発生部４６と、無線タグと通信する無線タグリーダライタ４７と、を備える。発光部４５は、例えばＬＥＤ等である。また、発生部４６は、スピーカーなどである。
【００３２】
通信部４２は、情報処理端末１によって収集した注文の情報をコントローラに送信する。
【００３３】
記憶部４３は、フラッシュＲＯＭなどの不揮発性メモリを含んでいてもよい。
【００３４】
振動部４４、発光部４５、発生部４６は、これらのうち１つまたは複数を省略することもできる。
【００３５】
無線タグリーダライタ４７は、キーシート５１が備えるタブ５２に設けられる無線タグ５３と通信する。
【００３６】
無線タグ５３は、記憶装置であるメモリと、メモリへのデータの読み書きを行う無線タグ制御部と、受信した変調電磁波の整流と安定化を行うことにより電源を供給する電源生成部と、信号を送受信するためのアンテナである無線タグアンテナと、無線タグ制御部から送出されたデータを変調して無線タグアンテナに送出する変調部と、受信した変調電磁波を復調して無線タグ制御部へ送出する復調部とを備える。
【００３７】
無線タグリーダライタは、無線タグ５３との通信を制御し、接続する各ハードウエアを制御するリーダライタ制御部と、リーダライタ制御部から送出された信号を変調する変調部と、変調された信号を増幅してサーキュレータを介してアンテナに送出する送信アンプと、各アンテナからサーキュレータを介して受信した変調電磁波を増幅する受信アンプと、受信した変調信号を復調する復調部と、を備える。またリーダライタ制御部１２６は、ＣＰＵ及びデータを格納するメモリであるＲＯＭ及びＲＡＭを備える。
【００３８】
無線タグリーダライタ４７と無線タグ５３とは、例えばＮＦＣ（Ｎｅａｒ  Ｆｉｅｌｄ  Ｃｏｍｍｕｎｉｃａｔｉｏｎ）等の規格に基づいて通信を行う。
【００３９】
無線タグリーダライタ４７は、テーブルや従業員スタッフの名札に設けられる無線タグと通信することも可能である。
【００４０】
キーシート５１に設けられる無線タグ５３は、当該キーシート５１に対応した、後述するＰ−Ｎｏ．と、ＩＤと、を格納する。このうち、Ｐ−Ｎｏ．は省略することもできる。
【００４１】
図５は、キーシートテーブル４３Ａのデータ構造を示す図である。図５に示すように、キーシートテーブル４３Ａは、第１入力部１２又は第２入力部２１の別を示す「Ｐ−Ｎｏ．」と、キーシートに固有に割り当てられる「ＩＤ」と、各キーに割り当てられた内容を示す「キーデータ」と、を格納する。
【００４２】
格納されるデータの例は、Ｐ−Ｎｏ．が「０２」、ＩＤが「００４」、キーデータは、キー１は「ビール」、キー２は「ワイン赤」等、キー４０は「ＥＮＴＥＲ」である。
【００４３】
図６は、第１入力部１２用の第１キーシートの第１の例を示す図である。図６に示すように、第１キーシートの第１の例はテンキーの配列が携帯電話の並び方となっている。
【００４４】
また、第１キーシート５１は切除又は折り曲げ可能なタブ５２と、タブ５２に設けられる無線タグ５３と、を備える。タブ５２の第１キーシート５１への接続部分には切除又は折り曲げのためのミシン目５４を設けてもよい。
【００４５】
図７は、第１入力部１２用の第１キーシートの第２の例を示す図である。図７に示すように、第１キーシートの第２の例はテンキーの配列が電子卓上計算機の並び方となっている。
【００４６】
また、第１キーシート５１は切除又は折り曲げ可能なタブ５２と、タブ５２に設けられる無線タグ５３と、を備える。タブ５２の第１キーシート５１への接続部分には切除又は折り曲げのためのミシン目５４を設けてもよい。
【００４７】
ユーザは、携帯電話並びのテンキーと、電子卓上計算機の並びのテンキーとを、キーシートを交換することにより選択することができる。
【００４８】
図８は、第２入力部２１用の第２キーシートの第１の例を示す図である。図８に示すように、第２キーシートの第１の例は、各キーの位置にソフトドリンクなどを初めとする昼間用のメニューが記載される。右下には「ＥＮＴＥＲ」が記載される。
【００４９】
また、第２キーシート８１は切除又は折り曲げ可能なタブ５２と、タブ５２に設けられる無線タグ５３と、を備える。タブ５２の第２キーシート８１への接続部分には切除又は折り曲げのためのミシン目５４を設けてもよい。
【００５０】
図９は、第２入力部２１用の第２キーシートの第２の例を示す図である。図９に示すように、第２キーシートの第１の例は、各キーの位置にアルコール類などを初めとする夜間用のメニューが記載される。右下には「ＥＮＴＥＲ」が記載される。
【００５１】
また、第２キーシート８１は切除又は折り曲げ可能なタブ５２と、タブ５２に設けられる無線タグ５３と、を備える。タブ５２の第２キーシート８１への接続部分には切除又は折り曲げのためのミシン目５４を設けてもよい。
【００５２】
ユーザは、昼間用のメニューと、夜間用のメニューとを、キーシートを交換することにより選択することができる。
【００５３】
なお、第１キーシート５１及び第２キーシート８１のキーの形状は任意に設定できる。図９に示す例では、キー８２に無効なキーが割り当てられている。このキー８２を押下しても当該入力は無視される。
【００５４】
この場合、キーシートテーブル４３Ａのキー８２に対応するキーデータは「ＮＵＬＬ」が格納される。
【００５５】
或いは、キー８３に示すように、大きな長方形や、十字など、任意の形状のキーを設定することもできる。
【００５６】
この場合、キーシートテーブル４３Ａのキー８３に対応する複数のキーのキーデータは同じデータである「焼き鳥セット」がそれぞれ格納される。
【００５７】
加えて、キーシートテーブル４３Ａのキーの領域をキーの形状に合わせて、多角形の頂点の座標、円の中心及び半径によって別途定義することも可能である。
【００５８】
図１０は、折り曲げ可能なタブ５２を備えるキーシート９１の側面断面図である。図１１は、タブ５２が折り曲げられたキーシート９１の様子を示す図である。
【００５９】
図１０及び図１１に示すように、タブ５２が折り曲げ可能な場合には、キーシート９１は、無線タグ５３が設けられる面の無線タグ５３とキーシート９１との間に、タブ５２が折り曲げられたときに無線タグを複数の面から被覆するように遮蔽層９２を有する。
【００６０】
遮蔽層９２は、例えば金属によって形成され、無線タグリーダライタ４７からの電波を遮蔽する。
【００６１】
従って、キーシート９１の無線タグ５３を誤読することが回避できる。
【００６２】
図１２は、情報処理端末１の操作を示すフローチャートである。情報処理端末１は、制御部４１により、キーシートの交換の際には無線タグ５３と通信してＩＤを入力し、このＩＤに基づいてキーシートテーブル４３Ａを検索して入力されたＩＤに対応するキーデータを読み出す。
【００６３】
情報処理端末１は、キーデータを読み出した後に、表示部１１にタブ５２を切除または折り曲げる旨の指示を表示する。
【００６４】
ユーザはこの指示に従って、タブ５２を切除または折り曲げることにより、無線タグ５３を無効化し、誤読を防止することが可能となる。
【００６５】
具体的には、図１２に示すように、動作１００１において情報処理端末１は第１入力部１２又は第２入力部２１からの入力によりキーシートの変更指示があったかを判定する。情報処理端末１は、キーシートの変更指示によりキーシートの変更があったと判定した場合、動作１００２に進み、変更指示があったと判定しなかった場合、動作１００１に戻る。
【００６６】
動作１００２において、情報処理端末１は、Ｐ−Ｎｏ．及びＩＤを含むキーシート情報を、無線タグリーダライタ４７を介して無線タグ５３から通信により入力する。
【００６７】
動作１００３において、ＩＤに基づいてキーシートテーブル４３Ａを検索して入力されたＩＤに対応するキーデータを読み出す。
【００６８】
動作１００４において、情報処理端末１は、タブ５２を切除または折り曲げる旨の指示を表示部１１に一定時間出力する。
【００６９】
動作１００５において、情報処理端末１は、通常画面を表示する。
【００７０】
なお、図１２には、キーデータを情報処理端末１が格納する例により説明した。これに対し、当該キーシートの分だけのデータを格納するキーシートテーブル４３Ａを無線タグ５３に格納することもできる。
【００７１】
この場合、情報処理端末１は、無線タグリーダライタ４７を介して、無線タグ５３からＰ−Ｎｏ．及びＩＤとともにキーデータも読み込む。
【００７２】
この場合の情報処理端末１の動作は図１２に示すフローチャートと同様である。
【００７３】
以上述べたように、本実施形態の情報処理端末１は、情報を表示する表示部１１と、テンキーとして使用される第１入力部１２と、メニューキーとして使用される第２入力部２１と、キーシート９１に切除または折り曲げ可能に取り付けられるタブ５２に設けられる無線タグ５３と通信する無線タグリーダライタ４７と、キーシート９１の交換を検知した場合、無線タグリーダライタ４７を介して無線タグ５３と通信し、キーシートに関するデータを読み込んだ後にタブ５２を切除または折り曲げることによって無効化する旨の指示を表示部１１に表示する制御部と、を備える。
【００７４】
従って、キーシートの誤装着を効果的に防止できるという効果がある。
【００７５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７６】
１２：第１入力部
２１：第２入力部２１
４７：無線タグリーダライタ
５２：タブ
５３：無線タグ
【図１】
2013246716.tif 000003
【図２】
2013246716.tif 000004
【図３】
2013246716.tif 000005
【図４】
2013246716.tif 000006
【図５】
2013246716.tif 000007
【図６】
2013246716.tif 000008
【図７】
2013246716.tif 000009
【図８】
2013246716.tif 000010
【図９】
2013246716.tif 000011
【図１０】
2013246716.tif 000012
【図１１】
2013246716.tif 000013
【図１２】
2013246716.tif 000014